(57)【要約】【課題】  湾曲した面をもつ被刺繍物の刺繍範囲を平坦に保って刺繍枠にセットするとき、被刺繍物の裏面に配置される芯地に不具合が生じないようにする。【解決手段】  Ｘ、Ｙ方向に駆動される枠体１９に対して着脱式に取付け可能であり、湾曲した面を持つ被刺繍物２３を刺繍可能にセットするための刺繍枠である。被刺繍物２３の刺繍範囲に対応づけられる開口部２が形成された支持枠１と、支持枠１にセットした芯地２４を該支持枠１に対して保持するための芯地保持手段（挟持部材１３）と、支持枠１にセットした被刺繍物２３を、少なくとも開口部２に対応して配置される刺繍範囲Ｅにおいて平坦に張られるように、該支持枠１に対して保持するための被刺繍物保持手段（押さえ部材３，８）とを備える。被刺繍物２３が支持枠１の上面にセットされ、芯地２３が支持枠２４の裏面にセットされる。【選択図】  図４
2005348795.tif 000002
【特許請求の範囲】
【請求項１】
Ｘ、Ｙ方向に駆動される枠体に対して着脱式に取付け可能であり、湾曲した面を持つ被刺繍物を刺繍可能にセットするための刺繍枠であって、
被刺繍物の刺繍範囲に対応づけられる開口部が形成された支持枠と、
前記支持枠にセットした芯地を該支持枠に対して保持するための芯地保持手段と、
前記支持枠にセットした被刺繍物を、少なくとも前記開口部に対応して配置される刺繍範囲において平坦に張られるように、前記支持枠に対して保持するための被刺繍物保持手段と
を備えたことを特徴とする刺繍枠。
【請求項２】
前記被刺繍物が前記支持枠の上面にセットされ、前記芯地が前記支持枠の裏面にセットされることを特徴とする請求項１に記載の刺繍枠。
【発明の詳細な説明】
【技術分野】
【０００１】
本発明は、湾曲した面をもつ被刺繍物の少なくとも刺繍範囲を、刺繍枠の２次元的移動によって刺繍可能なように、平坦にセットするための刺繍枠に関する。
【背景技術】
【０００２】
従来、湾曲した面をもつ被刺繍物（例えば帽子の構成要素のようなもの）に刺繍を行うときには、いわゆる「置き縫い」にて行っていた。この「置き縫い」とは、原反枠に所定のシート材を保持するとともに、このシート材に被刺繍物の形や大きさに合わせた抜き穴を形成し、この抜き穴の周縁上に被刺繍物を載置し、かつ、この被刺繍物がシート材の上でずれないように、かつ刺繍範囲（刺繍縫いの対象とする範囲）を平坦に保つように、接着剤や接着テープ等を用いて固定し、それから、所定の刺繍縫いデータに従って原反枠をＸ、Ｙ方向に（２次元平面的に）移動させることで刺繍を行うものである。そして、シート材にセットした被刺繍物への刺繍が終了したら、刺繍が施された被刺繍物をシート材から取り外して、次の被刺繍物をシート材にセットするようになっている。従って、刺繍を行っている間に次の被刺繍物をセットするための段取り作業ができないために刺繍の作業効率が悪いものであった。
【０００３】
この不具合を解決するために、湾曲した面をもつ被刺繍物の必要な刺繍範囲を平坦に保って該被刺繍物をセット可能とし、かつＸ、Ｙ駆動枠体に対して着脱可能とした、刺繍枠が下記特許文献１に開示されている。そこに示された刺繍枠は、支持枠と、押え枠と、ロック手段とにより構成されている。支持枠は、Ｘ、Ｙ方向に駆動される枠体に取付け可能であるとともに、被刺繍物の刺繍範囲に対応した寸法の開口部を有している。押え枠は、被刺繍物とその裏面側に添えた芯地とを支持枠に対し、少なくとも刺繍範囲を平坦に保つように押えつけることが可能で、支持枠に対してそれぞれ回動可能に設けられた芯地用押え部材と被刺繍物用押え部材とを有している。芯地用押え部材は支持枠の上に置いた芯地の上に倒すことが可能で、被刺繍物用押え部材は芯地の上に重ねた被刺繍物の上に倒すことが可能となっている。この被刺繍物用押え部材によって、被刺繍物を芯地用押え部材とともに押えつけることができる。ロック手段は、被刺繍物用押え部材を被刺繍物と芯地用押え部材（芯地）とを支持枠に対して押えつけた状態にロックするものである。
【特許文献１】特開2001-316969
【０００４】
この特許文献１に示された刺繍枠によれば、支持枠の上に芯地を置いて芯地用押え部材を芯地の上に倒した後、その上から被刺繍物を重ね、被刺繍物用押え部材を倒してロック手段によってロックすることによって、湾曲した面をもつ被刺繍物を芯地とともに簡単にセットできる。そして、刺繍機に装着された或る第１の刺繍枠上の被刺繍物に対する刺繍縫い動作に並行して、別の第２の刺繍枠（刺繍機に装着されていない）に対する被刺繍物のセット（段取り作業）を行うことによって、該第１の刺繍枠上の被刺繍物に対する刺繍縫いが終了したら、新たな被刺繍物がセットされた該第２の刺繍枠を刺繍済みの該第１の刺繍枠と交換して刺繍機に装着すればよく、刺繍の作業効率を高めることができる。
【発明の開示】
【発明が解決しようとする課題】
【０００５】
上記特許文献１では、支持枠の上に置いた芯地の上に芯地用押え部材を倒し、その上に被刺繍物を重ねた後に被刺繍物用押え部材を倒して被刺繍物と芯地用押え部材を押えつけた状態にロックしている。言い換えれば、芯地は被刺繍物用押え部材の押えつけが行なわれることによって初めて確実に保持されることとなり、それまでは芯地用押え部材の自重のみで保持されている。このため、被刺繍物を重ねて被刺繍物用押え部材によって押えつけるまでに芯地が弛んだり、芯地の上に重ねた被刺繍物の位置を調整するときに一緒に動いたりして芯地が適正に保持されないことがある。また、このときの芯地の状態は上に重ねた被刺繍物の存在によって確認することができないので、芯地が適正に保持されているか否かが確認できないという不具合があった。
【０００６】
本発明は上述の点に鑑みてなされたもので、湾曲した面をもつ被刺繍物の少なくとも刺繍範囲を、刺繍枠の２次元的移動によって刺繍可能なように、平坦にセットするための刺繍枠であって、被刺繍物の裏面に配置される芯地に不具合が生じないようにすることができるようにしたものを提供しようとするものである。
【課題を解決するための手段】
【０００７】
本発明に係る刺繍枠は、Ｘ、Ｙ方向に駆動される枠体に対して着脱式に取付け可能であり、湾曲した面を持つ被刺繍物を刺繍可能にセットするための刺繍枠であって、被刺繍物の刺繍範囲に対応づけられる開口部が形成された支持枠と、前記支持枠にセットした芯地を該支持枠に対して保持するための芯地保持手段と、前記支持枠にセットした被刺繍物を、少なくとも前記開口部に対応して配置される刺繍範囲において平坦に張られるように、前記支持枠に対して保持するための被刺繍物保持手段とを備えたことを特徴とするものである。また、前記被刺繍物が前記支持枠の上面にセットされ、前記芯地が前記支持枠の裏面にセットされることを特徴とするものである。
【発明の効果】
【０００８】
本発明によれば、被刺繍物保持手段と芯地保持手段を個別に設けることによって、芯地保持手段によって芯地を支持枠に確実に保持した後に、被刺繍物を支持枠にセットして被刺繍物保持手段によって保持することができる。これにより、芯地を適正に保持することができるとともに、その状態を確認できることとなる。また、被刺繍物とは独立に、芯地保持手段によって芯地が支持枠に保持されるため、被刺繍物を保持するときにその影響を受けることがなく、支持枠の上面に置いた被刺繍物の位置を調整したときなどに芯地が一緒に動いたりせずに、芯地は適正に保持された状態に保たれる。更に、芯地を支持枠の裏面にセットするようにすれば、より一層、被刺繍物を保持するときにその影響を受けることがなく、芯地は適正に保持された状態に保たれるようになる。
【発明を実施するための最良の形態】
【０００９】
以下、添付図面を参照して、本発明の実施例を詳細に説明しよう。
図１は本発明の実施例に従う刺繍枠の平面図、図２は該刺繍枠の正面図、図３は該刺繍枠の側面図である。これらの図面から明らかなように、支持枠１は略矩形状をしており、その平面中央には開口部２が形成してある。開口部２は、刺繍縫い動作時に上下動する縫針の貫通を許すことによりその部分での刺繍縫いを可能にするものである。よって、開口部２のサイズは、被刺繍物の刺繍可能範囲を規定する。すなわち、この開口部２は、少なくとも、被刺繍物において刺繍しようとする所望の刺繍範囲（刺繍縫いの対象とする範囲）に対応する広がりを持つ。開口部２の前方及び後方には被刺繍物を保持するための押え部材３及び８が設けてある。両押え部材３及び８は、それぞれ、支持枠１の上面に固定されたベース４及び９に回動可能に支持されたレバー５及び１０と、該レバー５及び１０の回動によりバネ部材６及び１１を介して連動する押え体７及び１２とを備えたレバーバインド形式の構造となっている。レバー５又は１０を上方へ回動させると、押え体７又は１２がベース４又は９の上面から持ち上げられる。逆にレバー５又は１０を下方へ回動させると、押え体７又は１２がベース４又は９の上面に強く押し付けられ、押え体７又は１２とベース４又は９とによって被刺繍物の一部を挟んで保持することが可能となっている。そして、この状態でレバー５又は１０はベース４又は９の側にロックできるようになっている。
【００１０】
支持枠１の左右の両側壁１ａには、それぞれ、芯地を保持するための挟持部材１３がピン１４により回動可能に軸支してある。挟持部材１３は側壁１ａと略同じ全長を有しており、挟持部材１３の先端部にはツマミ１５が設けてある。挟持部材１３は側壁１ａを挟み込む一対の挟持片１３ａを備えており、該挟持片１３ａの下方部は、対をなす他方の挟持片１３ａから遠ざかる方向に傾斜してある。この挟持部材１３が図３の実線で示す位置（保持位置）にあるときに、一対の挟持片１３ａと側壁１ａの左右面とで芯地の一部を挟み込んで保持することが可能となっている。この保持位置から挟持部材１３を上向きに回動させると、図３の想像線で例示するような開放位置に設定される。なお、挟持片１３ａの下方部の傾斜は、挟持部材１３を図３の想像線で例示するような開放位置から下方に押し込んで図３の実線で示す保持位置まで回動させるときに、側壁１ａが一対の挟持片１３ａ間にスムーズに入り込むようにし、かつ、保持位置で確実な挟持作用を得るためのものである。すなわち、一対の挟持片１３ａの末広がりの間隔により、該挟持部材１３を下方に押し込んで側壁１ａを挟持するとき、始めは側壁１ａをスムーズに挟持することができ、下方に押し込むにつれて、より強い挟持作用が両挟持片１３ａによって側壁１ａに及ぼされるようになる。
【００１１】
図４は、図１〜図３に示した本実施例に係る刺繍枠に被刺繍物２３及び芯地２４をセットした状態で、該刺繍枠を刺繍ミシンの原反枠１９に対して着脱する時の様子を示す斜視図である。この刺繍枠に被刺繍物２３及び芯地２４をセットする手順については追って説明する。図４から明らかなように、刺繍データに基づいてＸ、Ｙ方向に駆動される原反枠１９には、受け部材２０が固定してある。本実施例に係る刺繍枠の支持枠１には、原反枠１９の受け部材２０に対して取り外し可能に結合される連結部材１６が固定してある。受け部材２０には連結部材１６が嵌り込む受入部２１が設けてあり、受入部２１の奥の壁には磁石２２が設けてある。この受入部２１に連結部材１６を差し込むと、連結部材１６の先端部に固定した鉄板１７が磁石２２に吸着されて連結部材１６が受け部材２０に結合される。従って支持枠１は原反枠１９に対してワンタッチで脱着できる。なお、支持枠１の前方部には取手１８が固定してあり、この取手１８を持って支持枠１を原反枠１９に脱着することができる。
【００１２】
図６は被刺繍物２３の一例を示す斜視図である。図６（ａ）は、１つの被刺繍物２３を実線で示し、この被刺繍物２３を一部品に用いて製作される帽子Ｃの完成像を想像線で示している。この図面から明らかなように、本実施例に係る被刺繍物２３は、図６（ａ）で想像線で示す帽子Ｃを製作するための扇形状のパーツＣ１を２個縫い合わせてなるもので、全体に湾曲した面になっている。このような湾曲した面を有する被刺繍物２３を展開状態にしてその外周を押えつけても、図６（ｂ）に示すように、その全体を平坦にすることはどうしてもできない。しかし、必要な一部の範囲については、刺繍縫いを遂行するために必要な程度の平坦さを出すことはできる。このため、本実施例に係る刺繍枠は、湾曲した面を有する被刺繍物２３における必要な刺繍範囲（刺繍縫いの対象とする範囲）Ｅを平坦に保持するものである。なお、本明細書でいう「平坦」とは、幾何学的に厳密なものである必要はなく、原反枠１９のＸ、Ｙ駆動に応じた相対的な平面移動に従う刺繍縫いを支障なく遂行し得る程度の平坦さであればよい。
【００１３】
次に、本実施例に係る刺繍枠に被刺繍物２３及び芯地２４をセットする手順について説明する。まず先に芯地２４を支持枠１にセットし、次に被刺繍物２３を支持枠１にセットする。
図５は、本実施例に係る刺繍枠に芯地２４をセットするときの様子を示す斜視図である。まず、図５に示すように、両挟持部材１３のツマミ１５を持って、両挟持部材１３を上方へ回動させる。それから、芯地２４を支持枠１の裏面に敷いて、その両端部を側壁１ａに巻掛ける。そして、両挟持部材１３を下方に押し下げて、図３にて想像線で例示した開放位置から実線にて示した保持位置まで回動させる。これにより、芯地２４の両端部が一対の挟持片１３ａと側壁１ａの左右面とで挟み込まれて保持される。この芯地２４を保持するときは、一方の端部を保持した状態で、他端部を引張って芯地２４をピンと展張した状態で他端部を保持するようにすれば、容易に芯地２４を適正に保持することができる。図４には両挟持部材１３を保持位置まで押し下げて芯地２４を確実に保持した状態が示されている。
【００１４】
次に、押え部材３、８のレバー５、１０を上方へ回動させて、押え体７、１２を持ち上げ、被刺繍物２３を支持枠１の上面に置き（図４参照）、被刺繍物２３の端部を押え部材３、８のベース４、９と押え体７、１２の間に差し入れる。被刺繍物２３の刺繍範囲Ｅを平坦として、レバー５、１０を下方へ回動させて、押え体７、１２とベース４、９とによって被刺繍物２３の両端部をそれぞれ挟んで保持する。こうして、図４に示すように、芯地２４及び被刺繍物２３がそれぞれ個別の保持手段（挟持部材１３と押え部材３、８）によって刺繍枠（支持枠１）に保持される。
【００１５】
このようにして、芯地２４、被刺繍物２３が保持された刺繍枠（第１の刺繍枠）は、支持枠１の連結部材１６を原反枠１９の受け部材２０に結合することで被刺繍物２３に対する刺繍縫いが可能となる。この刺繍縫いと並行して、別の刺繍枠（第２の刺繍枠）に新たな被刺繍物２３及び芯地２４をセットする段取り作業を行なっておき、刺繍縫いが終了したら、該新たな被刺繍物２３をセットした該第２の刺繍枠を刺繍済みの第１の刺繍枠と交換する。
【００１６】
本実施例によれば、被刺繍物２３を押え部材３、８にて、芯地２４を挟持部材１３にて保持するようにしてある。このように被刺繍物２３と芯地２４をそれぞれ個別に保持することによって、芯地２４を適正に保持した後に、被刺繍物２３を支持枠１の上面に置いて保持することができる。これにより、容易に芯地２４を適正に保持することができるとともに、芯地２４を保持した状態を確認できることとなる。また、被刺繍物２３とは独立に、挟持部材１３によって芯地２４が支持枠１に保持されるため、被刺繍物２３を保持するときにその影響を受けることがなく、支持枠１の上面に置いた被刺繍物２３の位置を調整したときなどに芯地２４が一緒に動いたりせずに、芯地２４は適正に保持された状態に保たれる。更に、上記実施例のように芯地２４を支持枠１の裏面にセットするようにすれば、より一層、被刺繍物２３を保持するときにその影響を受けることがなく、芯地２４は適正に保持された状態に保たれるようになる。また、芯地２４の状態を目視確認したい場合、支持枠１を裏面から見れば、芯地２４の状態を容易に確認できるという利点もある。
【００１７】
しかし、上記実施例に限らず、芯地２４を支持枠１の上面にセットして挟持部材１３で保持するようにしてもよく、その場合でも、被刺繍物２３とは独立に、挟持部材１３によって芯地２４が支持枠１に保持されるため、被刺繍物２３を保持するときにその影響を受けることがなく、また、被刺繍物２３をその上に重ねる前であれば、挟持部材１３の保持状態を容易に目視確認することができる。
また、被刺繍物２３を保持する押え部材３、８（被刺繍物保持手段）及び芯地２４を保持する挟持部材１３（芯地保持手段）の構成は、上記実施例に示された形態に限定されるものでなく、被刺繍物２３及び芯地２４の支持枠１への保持がそれぞれ独立に行なえる構成であればどのようなものでもよい。
また、支持枠１の形状も、矩形に限らず、他の形状でもよい。
また、被刺繍物２３は帽子ＣのパーツＣ１を２個縫い合わせたものに限るものでなく、湾曲面をもったものであれば何でも本発明の対象となる。
【図面の簡単な説明】
【００１８】
【図１】本発明の実施例に従う刺繍枠の平面図。
【図２】同実施例に従う刺繍枠の正面図。
【図３】同実施例に従う刺繍枠の側面図。
【図４】同実施例に従う刺繍枠を刺繍ミシンの原反枠に対して着脱する時の様子を示す斜視図。
【図５】同実施例に従う刺繍枠に芯地をセットするときの様子を示す斜視図。
【図６】同実施例における被刺繍物の一例を示す斜視図。
【符号の説明】
【００１９】
１  支持枠
２  開口部
３，８  押え部材（被刺繍物保持手段）
１３  挟持部材（芯地保持手段）
１９  原反枠
２３  被刺繍物
２４  芯地
【図１】
2005348795.tif 000003
【図２】
2005348795.tif 000004
【図３】
2005348795.tif 000005
【図４】
2005348795.tif 000006
【図５】
2005348795.tif 000007
【図６】
2005348795.tif 000008